(57)【要約】【課題】  半導体集積回路内外の画像処理に係る回路を半導体集積回路内で一のバスに接続し、前記回路による処理画像データの転送制御を共通化する画像処理装置の提供。【解決手段】  複合機２０は外部回路を装着すべきコネクタを２つ備え、両コネクタに第２の単色画像処理回路９及びカラー画像処理回路１０を装着することにより、前者は半導体集積回路３０のバス３１ａ及びＭＵＸ３３ａ（第１の切換手段）と接続され、後者はバス３１ａ及びビット変換器３４ｂに接続される。ＭＵＸ３３ａは第１の単色画像処理回路３２又は第２の単色画像処理回路９による処理画像データをビット変換器３４ａへ転送し、ＭＵＸ３３ｂ（第２の切換手段）はビット変換器３４ａ又は３４ｂを介して転送される画像データをメモリ３５へ転送する。メモリ３５へ転送された画像データは更にバス３１ｂを介して画像メモリ１１へ転送される。【選択図】        図１
2005085243.tif 000002
【特許請求の範囲】
【請求項１】
画像データを処理する画像処理回路と、該画像処理回路に接続されるバスとを含む半導体集積回路を備える画像処理装置において、
前記半導体集積回路は、
画像データを処理する外部回路を接続すべくなしてあり、
前記画像処理回路又は外部回路のいずれかを選択的に前記バスと接続すべく切り換える切換手段を備える
ことを特徴とする画像処理装置。
【請求項２】
単色画像データを処理する第１の単色画像処理回路と、該第１の単色画像処理回路に接続されるバスとを含む半導体集積回路を備える画像処理装置において、
前記半導体集積回路は、
前記第１の単色画像処理回路よりも処理するビット数が高い第２の単色画像処理回路を接続すべくなしてあり、
前記第１又は第２の単色画像処理回路のいずれかを選択的に前記バスと接続すべく切り換える第１の切換手段を備える
ことを特徴とする画像処理装置。
【請求項３】
前記半導体集積回路は更に、
カラー画像データを処理するカラー画像処理回路を内蔵するか、又は接続すべくなしてあり、
前記第１の切換手段により選択される前記第１若しくは第２の単色画像処理回路、又は前記カラー画像処理回路のいずれかを選択的に前記バスと接続すべく切り換える第２の切換手段を備える
ことを特徴とする請求項２に記載の画像処理装置。
【発明の詳細な説明】
【技術分野】
【０００１】
本発明は、画像データを処理する画像処理回路を含む半導体集積回路を備える画像処理装置に関し、より詳細には、半導体集積回路及び画像データを処理する外部回路を接続可能にし、画像処理回路又は外部回路を半導体集積回路内で一のバスに接続すべく構成した画像処理装置に関する。
【背景技術】
【０００２】
従来の画像処理装置には、様々に処理した画像データを複数の外部（例えば、画像メモリ、画像形成部、外部のコンピュータ等）へ転送する際に一時的に記憶（蓄積）するためのメモリを内蔵し、かつ回路構成を簡素化し、メモリに係るコストを低減するために、メモリを一のバスに接続することにより、該メモリを介して画像データを外部へ転送するように構成された半導体集積回路を備えるものがある（例えば、特許文献１参照）。
【０００３】
このような従来の画像処理装置は、例えば読取部（スキャナ装置）にて光学的に読み取った原稿の画像データに基づいて記録媒体に画像形成する複写機として適用される。ところで、原稿のカラー化の大幅な普及に伴って、読取部は、原稿を単色（白黒）で読み取るだけでなく、カラーで読み取るように構成されている。したがって、従来の画像処理装置は、読み取った原稿の単色及びカラーの両画像データを処理するために、単色画像処理回路及びカラー画像処理回路の両方を一の半導体集積回路に設けるのが一般的である。
【特許文献１】特開平８−１１０８８５号公報
【発明の開示】
【発明が解決しようとする課題】
【０００４】
以上のように、従来の画像処理装置を例えば複写機として適用した場合には、読み取った原稿の画像データに基づいて単色画像及びカラー画像を記録媒体に画像形成することができる。ところが、使用者によっては単色画像のみの画像形成を目的とする場合があり、このような使用者にとっては、従来の画像処理装置の半導体集積回路が備えるカラー画像処理回路は不要である。カラー画像処理回路は、単色画像処理回路に比べて処理するビット数（階調度）が高いため、回路規模が大きく、高価である。
【０００５】
したがって、従来の画像処理装置に備えられる半導体集積回路は、複数の外部への画像データの転送用のメモリを共通化してたとえ回路規模の縮小化を図ろうとも、カラー画像処理回路を備えるがゆえに、回路規模が拡大化し、高価になるという問題がある。これに伴って、従来の画像処理装置も必然的に高価になるという問題がある。
【０００６】
また、従来の画像処理装置を例えば複写機として適用した場合には、例えば単色画像をより高階調度に画像形成すべく複写機のいわゆる上位機種への変更を望もうとも、従来の画像処理装置は、画像データを処理するための回路を別途接続できるように構成されていないため、該回路を別途後付けした後、画像データの転送機構を改変する必要がある。このような前記回路の後付け及び画像データ転送機構の改変は簡易ではないため、実際問題として現実的ではない。
【０００７】
ところで、画像処理装置の一形態としてファクシミリ装置について見ると、文書原稿又は図面原稿の単色画像データを処理する場合がほとんどであるため、ファクシミリ装置用の画像処理回路としては、２値化する単色画像処理回路（低機能の単色画像処理回路）を最低限備えておればよく、カラー画像処理回路は不要である。よって、従来の画像処理装置をファクシミリ装置として適用するのは適切ではない。
【０００８】
以上のように、従来の画像処理装置は、画像データを処理するための回路を別途接続できる構成となっていないため、装置の仕様が制限されるという問題がある。
【０００９】
本発明は斯かる問題に鑑みてなされたものであり、その目的とするところは、画像データを処理する外部回路を半導体集積回路に接続可能とし、半導体集積回路内において自身が内蔵する画像処理回路又は外部回路のいずれかを切換手段にてバスに接続可能な構成とすることにより、画像処理回路を単色画像処理回路とした場合、カラー画像処理回路を備えないために廉価で、しかも種々の仕様に適用することができる画像処理装置を提供することにある。
【００１０】
本発明の他の目的は、処理するビット数が高い第２の単色画像処理回路を半導体集積回路に接続可能とし、半導体集積回路内において自身が内蔵する第１の単色画像処理回路又は第２の単色画像処理回路のいずれかを第１の切換手段にてバスに接続可能な構成とすることにより、カラー画像処理回路を備えないために廉価で、しかも第２の単色画像処理回路を半導体集積回路に接続した場合には、例えば高階調度の白黒複写機能を備える装置として適用することができる画像処理装置を提供することにある。
【００１１】
本発明の更に他の目的は、半導体集積回路はカラー画像処理回路を内蔵するか又は接続可能とし、半導体集積回路内において、第１の切換手段にて選択される第１若しくは第２の単色画像処理回路、又はカラー画像処理回路のいずれかを第２の切換手段にて前記バスに接続可能な構成とすることにより、例えばカラー複写機能を更に備える装置として適用することができる画像処理装置を提供することにある。
【課題を解決するための手段】
【００１２】
第１発明に係る画像処理装置は、画像データを処理する画像処理回路と、該画像処理回路に接続されるバスとを含む半導体集積回路を備える画像処理装置において、前記半導体集積回路は、画像データを処理する外部回路を接続すべくなしてあり、前記画像処理回路又は外部回路のいずれかを選択的に前記バスと接続すべく切り換える切換手段を備えることを特徴とする。
【００１３】
第２発明に係る画像処理装置は、単色画像データを処理する第１の単色画像処理回路と、該第１の単色画像処理回路に接続されるバスとを含む半導体集積回路を備える画像処理装置において、前記半導体集積回路は、前記第１の単色画像処理回路よりも処理するビット数が高い第２の単色画像処理回路を接続すべくなしてあり、前記第１又は第２の単色画像処理回路のいずれかを選択的に前記バスと接続すべく切り換える第１の切換手段を備えることを特徴とする。
【００１４】
第３発明に係る画像処理装置は、第２発明に係る画像処理装置において、前記半導体集積回路は更に、カラー画像データを処理するカラー画像処理回路を内蔵するか、又は接続すべくなしてあり、前記第１の切換手段により選択される前記第１若しくは第２の単色画像処理回路、又は前記カラー画像処理回路のいずれかを選択的に前記バスと接続すべく切り換える第２の切換手段を備えることを特徴とする。
【００１５】
第１発明に係る画像処理装置にあっては、切換手段は、半導体集積回路が内蔵する画像処理回路又は外部回路のいずれかを選択的にバスと接続すべく切り換える。したがって、外部回路が接続された場合には、切換手段を介して外部回路がバスに接続される。これにより、画像処理回路又は外部回路が処理する画像データの転送制御が半導体集積回路内において一のバスにて行える。
【００１６】
また、画像処理回路を単色画像処理回路とした場合、例えばファクシミリ装置又は白黒複写機能を備える装置等として適用することができ、従来の画像処理装置のようにカラー画像処理回路を備えないため、半導体集積回路は回路規模が縮小化して廉価となり、これに伴って装置も廉価となる。
【００１７】
加えて、外部回路として、例えば前記単色画像処理回路よりも処理するビット数が高い（例えば高階調度に画像処理する）単色画像処理回路、又はカラー画像処理回路を半導体集積回路に接続した場合には、これら回路に係る費用のみで、また、回路を接続するという単純な作業を行うだけで、画像データの転送機構を改変することなく、高階調度の白黒複写機能又はカラー複写機能を備える装置として適用することができる。
【００１８】
第２発明に係る画像処理装置にあっては、第１の切換手段は、半導体集積回路が内蔵する第１の単色画像処理回路又は第２の単色画像処理回路のいずれかを選択的にバスと接続すべく切り換える。したがって、第２の単色画像処理回路が接続された場合には、第１の切換手段を介して第２の単色画像処回路がバスに接続される。これにより、第１又は第２の単色画像処理回路が処理する画像データの転送制御が半導体集積回路内において一のバスにて行える。
【００１９】
半導体集積回路は第１の単色画像処理回路を内蔵するため、例えばファクシミリ装置又は白黒複写機能を備える装置等として適用することができ、また、従来の画像処理装置のようにカラー画像処理回路を備えないため、半導体集積回路は回路規模が縮小化して廉価となり、これに伴って装置も廉価となる。加えて、第２の単色画像処理回路を半導体集積回路に接続した場合には、該回路に係る費用のみで、また、回路を接続するという単純な作業を行うだけで、画像データの転送機構を改変することなく、例えば高階調度の白黒複写機能を備える装置として適用することができる。
【００２０】
第３発明に係る画像処理装置にあっては、第２の切換手段は、第１の切換手段により選択される第１若しくは第２の単色画像処理回路、又はカラー画像処理回路のいずれかを選択的にバスと接続すべく切り換える。したがって、第２の単色画像処理回路が接続された場合には、第１及び第２の切換手段を介して第２の単色画像処理回路がバスに接続される。また、カラー画像処理回路が接続された場合、又はカラー画像処理回路を半導体集積回路が備える場合には、第２の切換手段を介してカラー画像処理回路がバスに接続される。これにより、第１若しくは第２の単一画像処理回路、又はカラー画像処理回路が処理する画像データの転送制御が半導体集積回路内において一のバスにて行える。
【００２１】
半導体集積回路がカラー画像処理回路を内蔵せず、カラー画像処理回路を該半導体集積回路に接続した場合には、該回路に係る費用のみで、また、回路を接続するという単純な作業を行うだけで、画像データの転送機構を改変することなく、例えば白黒複写機能に加えて、カラー複写機能をも備える装置として適用することができる。一方、半導体集積回路がカラー画像処理回路を内蔵する場合には、当初から、例えば白黒複写機能及びカラー複写機能を共に有する装置として適用することができるだけでなく、第２の単色画像処理回路を半導体集積回路に接続した場合には、例えば高階調度の白黒複写機能を更に備える装置として適用することができる。
【発明の効果】
【００２２】
本発明によれば、半導体集積回路に画像データを処理する外部回路を接続可能な構成とし、切換手段を備えるため、外部回路を接続した場合には、切換手段を介して外部回路を半導体集積回路内のバスと接続することができる。これにより、画像処理回路又は外部回路が処理する画像データの転送制御を、半導体集積回路内において一のバスにて行うことができる。しかも、画像処理回路を単色画像処理回路とした場合、例えばファクシミリ装置又は白黒複写機能を備える装置等として適用することができ、従来の画像処理装置のようにカラー画像処理回路を備えないため、半導体集積回路は回路規模が縮小化して廉価にすることができ、これに伴って装置も廉価に提供することができる。
【００２３】
加えて、外部回路として、例えば前記単色画像処理回路よりも処理するビット数が高い（例えば高階調度に画像処理する）単色画像処理回路、又はカラー画像処理回路を半導体集積回路に接続した場合には、これら回路に係る費用のみで、また、回路を接続するという単純な作業を行うだけで、画像データの転送機構を改変することなく、高階調度の白黒複写機能又はカラー複写機能を備える装置として適用することができる。
【００２４】
また、本発明によれば、半導体集積回路が備える第１の単色画像処理回路よりも処理するビット数が高い（例えば高階調度に画像処理する）第２の単色画像処理回路を半導体集積回路に接続可能な構成とし、第１の切換手段を備えるため、第２の単色画像処理回路を接続した場合には、第１の切換手段を介して第２の単色画像処理回路を半導体集積回路内のバスと接続することができる。これにより、第１又は第２の単色画像処理回路が処理する画像データの転送制御を、半導体集積回路内において一のバスにて行うことができる。
【００２５】
しかも、半導体集積回路は第１の単色画像処理回路を内蔵するため、例えばファクシミリ装置又は白黒複写機能を備える装置等として適用することができ、また、従来の画像処理装置のようにカラー画像処理回路を備えないため、半導体集積回路は回路規模が縮小化して廉価となり、これに伴って装置も廉価となる。加えて、第２の単色画像処理回路を半導体集積回路に接続した場合には、該回路に係る費用のみで、また、回路を接続するという単純な作業を行うだけで、画像データの転送機構を改変することなく、例えば高階調度の白黒複写機能を備える装置として適用することができる。
【００２６】
更に、本発明によれば、半導体集積回路は更にカラー画像処理回路を内蔵し又は接続可能な構成とし、第２の切換手段を更に備えるため、第２の単色画像処理回路を接続した場合には、第１及び第２の切換手段を介して第２の単色画像処理回路を半導体集積回路内のバスと接続することができる。また、半導体集積回路にカラー画像処理回路を接続した場合、又は半導体集積回路がカラー画像処理回路を内蔵する場合には、第２の切換手段を介してカラー画像処理回路を半導体集積回路内のバスと接続することができる。これにより、第１若しくは第２の単色画像処理回路、又はカラー画像処理回路が処理する画像データの転送制御を、半導体集積回路内において一のバスにて行うことができる。
【００２７】
また、半導体集積回路がカラー画像処理回路を内蔵せず、カラー画像処理回路を該半導体集積回路に接続した場合には、該回路に係る費用のみで、また、回路を接続するという単純な作業を行うだけで、画像データの転送機構を改変することなく、例えば白黒複写機能に加えて、カラー複写機能をも備える装置として適用することができる。一方、半導体集積回路がカラー画像処理回路を内蔵する場合には、当初から、例えば白黒複写機能及びカラー複写機能を共に有する装置として適用することができるだけでなく、第２の単色画像処理回路を半導体集積回路に接続した場合には、例えば高階調度の白黒複写機能を更に備える装置として適用することができる。
【発明を実施するための最良の形態】
【００２８】
以下に、本発明の画像処理装置を、複写機能、プリント機能、スキャナ機能及びファクシミリ機能を有する複合機に適用した実施の形態について、図面を用いて詳細に説明する。
【００２９】
（実施の形態１）
図１は本発明の実施の形態１に係る複合機の構成を示すブロック図であり、図中２０は本発明の画像処理装置としての複合機である。複合機２０は、装置全体の制御を行う中央処理装置としてのＣＰＵ１、ＲＯＭ３、ＲＡＭ４、表示部５、操作部６、自動給紙装置７、読取部８、半導体集積回路３０、画像形成部１２、ＮＣＵ（Network Control Unit）１３、モデム１４、及び外部のコンピュータ（図示せず）と接続するためのＵＳＢインターフェース１５を備え、それぞれはバス２を介して相互に接続されている。
【００３０】
ＲＯＭ３には、複合機２０の動作に必要な制御プログラム及び各種データが予め記憶されおり、ＣＰＵ１は、ＲＯＭ３に記憶してある制御プログラムを順次実行し、バス２を介して接続されるハードウェア各部の動作を制御する。ＲＡＭ４は、ＳＲＡＭ又はフラッシュメモリ等で構成され、ＣＰＵ１による制御プログラムの実行時に発生するデータを一時的に記憶する。
【００３１】
モデム１４は、ファクシミリ通信が可能なファクスモデムで構成されており、ＮＣＵ１３とも直接的に接続されている。ＮＣＵ１３は、公衆電話回線網Ｌと接続されており、必要に応じてモデム１４を公衆電話網Ｌと接続し、公衆電話回線網Ｌを介して複合機２０と他のファクシミリ装置（図示せず）との間でファクシミリ通信を可能にしている。ＵＳＢインターフェース１５は、ネットワークを介して接続された外部のコンピュータ又はスキャナ装置等（図示せず）と複合機２０との間で、画像データを含む種々のデータを送受信する。
【００３２】
表示部５は、液晶ディスプレイ（ＬＣＤ）等で構成されており、ＣＰＵ１の制御に基づいて、複合機２０の動作状態、ＲＯＭ３に記憶してある各種メニュー、及び操作部６にて入力された種々の指定情報等を表示する。
【００３３】
操作部６は、表示部５の表示内容に従って、使用者が複合機２０を操作するための各種ファンクションキー、スキャナ機能を作動させるためのスキャナボタン、複写機能を作動させるための白黒複写ボタン及びカラー複写ボタン、ファクシミリ機能を作動させるためのファクスボタン、原稿の読み取りの開始の指示を入力するためのスタートキー、並びにテンキー等（図示せず）を備え、原稿の読み取り開始の指示、並びに複写枚数、複写倍率、用紙サイズ、紙種、及び外部のコンピュータの指定等の入力を受け付ける。操作部６にて入力されたこれら複写枚数等の指定情報は、ＣＰＵ１の制御に基づいてＲＡＭ４に記憶される。なお、表示部５及び操作部６は両者を一体構成したタッチパネルであってもよい。
【００３４】
自動給紙装置７は、読取部８と一体に構成されており、ＣＰＵ１の制御に基づいて、載置された原稿を１枚ずつ自動的に読取部８へ送る。読取部８は、原稿に光を照射する光源、単色（白黒）用ＣＣＤ（Charge Coupled Device）及びカラー用ＣＣＤ、並びにＡＤ変換器等（図示せず）を備えており、ＣＰＵ１の制御に基づいて、単色用ＣＣＤ又はカラー用ＣＣＤの受光部に当った原稿の反射光の輝度を検出し、検出した光の輝度（明るさ）に応じたアナログ電気信号に変換する。変換されたアナログ電気信号は、ＡＤ変換器にてＡＤ変換され、ＡＤ変換して得られたデジタル信号は、デジタルの画像データとして生成される。
【００３５】
なお、読取部８が原稿を白黒又はカラーのいずれで読み取るかは、ＣＰＵ１が操作部６のスキャナボタン、白黒複写ボタン、カラー複写ボタン、又はファクスボタンのいずれが押圧されたかを判定することにより決定する。具体的には、操作部６のファクスボタン又は白黒複写ボタンが押圧されたとＣＰＵ１が判定した場合は、ＣＰＵ１は読取部８の単色用ＣＣＤを走査し、操作部６のスキャナボタン又はカラー複写ボタンが押圧されたとＣＰＵ１が判定した場合は、ＣＰＵ１は読取部８のカラー用ＣＣＤを走査する。これにより、前者の場合では原稿を白黒で読み取ることができ、後者の場合では原稿をカラーで読み取ることができる。
【００３６】
ここで、読取部８にて生成された画像データは、操作部６にてファクスボタン、白黒複写ボタン、又はカラーボタン若しくはスキャナボタンのいずれが押圧されたかによって、後述する第１の単色画像処理回路３２、第２の単色画像処理回路９、又はカラー画像処理回路１０へＣＰＵ１の制御に基づいて転送される。
【００３７】
半導体集積回路３０は、バス３１ａ，３１ｂ、第１の単色画像処理回路３２、第１及び第２の切換手段としてのＭＵＸ（マルチプレクサ）３３ａ，３３ｂ、ビット変換器３４ａ，３４ｂ、メモリ３５、画像メモリコントローラ３６、ＣＯＤＥＣ３７、並びに画像形成用処理回路３８を備える。バス３１ａは、バス２と相互に接続されている。第１の単色画像処理回路３２（低機能）は、読取部８からバス２及びバス３１ａを介して転送された単色画像データを、公知の技術を用いて６ビット化して画像処理し、画像処理後の画像データ（６ビット）を２値化（１ビット化）して出力する。
【００３８】
ここで、複合機２０においては、画像データを処理する外部回路を装着するためのコネクタ（図示せず）が２つ予め設けられており、両コネクタに、第２の単色画像処理回路９、及びカラー画像処理回路１０を装着することにより、第２の単色画像処理回路９は、半導体集積回路３０のバス３１ａ及びＭＵＸ３３ａと接続され、カラー画像処理回路１０は、導体集積回路３０のバス３１ａ及びビット変換器３４ｂに接続される構成となっている。
【００３９】
第２の単色画像処理回路９（高機能）は、読取部８からバス２及びバス３１ａを介して転送された単色画像データを、公知の技術を用いて８ビット化して画像処理し、画像処理後の画像データ（８ビット）を２値化（１ビット化）して出力する。また、カラー画像処理回路１０は、読取部８からバス２及びバス３１ａを介して転送されたカラー画像データを、公知の技術を用いて画像処理し、色成分毎に８ビットのパラレルデータとして出力する。カラー画像データはＲＧＢ３成分のデータを有するため、各画素のデータが有するビット数は８×３＝２４ビットとなる。
【００４０】
ＭＵＸ３３ａは、第１の単色画像処理回路３２又は第２の単色画像処理回路９の内、いずれかからシリアル（１ビット）で転送される画像データをビット変換器３４ａへシリアル（１ビット）で転送する。ビット変換器３４ａは、ＭＵＸ３３ａからシリアル（１ビット）で転送された画像データをパラレル変換し、画像データを１６ビットでＭＵＸ３３ｂへ転送する。また、ビット変換器３４ｂは、カラー画像処理回路１０から８ビットのパラレルデータとして転送される画像データをビット変換し、１６ビットのパラレルデータとしてＭＵＸ３３ｂへ転送する。ＭＵＸ３３ｂは、ビット変換器３４ａ又はビット変換器３４ｂの内、いずれかから１６ビットで転送される画像データを１６ビットでメモリ３５へ転送する。
【００４１】
メモリ３５は、ＭＵＸ３３ｂを介して転送される画像データを一旦記憶する。メモリ３５に記憶された画像データは、バス３１ｂを介して画像メモリ１１に転送される。画像メモリ１１は、半導体集積回路３０に設けられたバス３１ｂと接続されており、メモリ３５から転送される画像データを記憶するためのメモリであり、ＳＤＲＡＭで構成されている。なお、画像データのメモリ３５から画像メモリ１１への転送は、画像メモリコントローラ３６を用いて行う。
【００４２】
画像メモリコントローラ３６は、バス３１ａ，３１ｂに接続されており、ＣＰＵ１から書き込み用のデータ転送処理の制御権を取得することにより画像データの画像メモリ１１への転送を行う。画像メモリコントローラ３６はまた、ＣＰＵ１から読み出し用のデータ転送処理の制御権を取得することにより、画像メモリ１１に記憶してある画像データを読み出し、メモリ３５に転送する。なお、画像メモリコントローラ３６は、画像データの画像メモリ１１への記憶、及び画像メモリ１１からの読み出しが終了したときに、データ転送処理の終了をＣＰＵ１へ通知する。
【００４３】
ＣＯＤＥＣ３７は、バス３１ａ及びメモリ３５に接続されており、他のファクシミリ装置からモデム１４を介して受信した画像データを、ＣＰＵ１の制御に基づいて復号化する。復号化された画像データは、メモリ３５に一旦記憶されてから、画像メモリ１１に記憶される。ＣＯＤＥＣ３７はまた、画像メモリ１１に記憶してある画像データをモデム１４を介して他のファクシミリ装置へ送信する際（操作部６のファクスボタンが押圧された場合）に、ＣＰＵ１の制御に基づいて符号化する。
【００４４】
また、ＣＯＤＥＣ３７は、外部のコンピュータからＵＳＢインターフェース１５を介して受信したプリントジョブに含まれる画像データを、ＣＰＵ１の制御に基づいて符号化処理を施さずメモリ３５に一旦記憶する。符号化処理が施されずメモリ３５に記憶された画像データは、更に画像メモリ１１に記憶される。なお、プリントジョブに含まれる印刷枚数、印刷倍率、用紙サイズ及び紙種等の指定情報は、ＣＰＵ１の制御に基づいてＲＡＭ４に記憶される。ＣＯＤＥＣ３７は更に、画像メモリ１１に記憶してある画像データをＵＳＢインターフェース１５を介して外部のコンピュータへシリアル又はパラレル転送する際（操作部６のスキャナボタンが押圧された場合）に、メモリ３５に一旦読み出された画像データを、ＣＰＵ１の制御に基づいて符号化処理を施さずＵＳＢインターフェース１５へ転送する。
【００４５】
なお、ＣＯＤＥＣ３７にて画像データに対する符号化処理若しくは復号化処理の実行、又は両処理の不実行は、具体的には、ＣＰＵ１が符号化処理若しくは復号化処理の実行、又は両処理の不実行の指示信号をＣＯＤＥＣ３７に入力しており、ＣＯＤＥＣ３７ではＣＰＵ１からの指示信号に基づいて符号化処理若しくは復号化処理を実行し、又は両処理の実行を行わない。
【００４６】
画像形成用処理回路３８は、画像メモリ１１に記憶してある画像データを画像形成する際（操作部６の白黒複写ボタン若しくはカラー複写ボタンが押圧された場合、又は外部装置から受信した画像データをプリントする場合）に、ＣＰＵ１の制御に基づいて、画像データの色情報を公知の技術を用いてＲＧＢからＣＭＹＫに変換し、ＲＡＭ４に記憶してある複写倍率又は印刷倍率に基づいて適宜拡大又は縮小する。画像形成用処理回路３８にて処理された画像データは、ＣＰＵ１の制御に基づいて、画像形成のタイミングに合わせて画像形成部１２へ転送される。
【００４７】
画像形成部１２は、電子写真方式のプリンタ装置であって、ＣＰＵ１の制御に基づいて画像形成用処理回路３８から転送された画像データを、ハードコピーとしてＡ３縦、Ｂ４縦、Ａ４縦、Ａ４横及びＢ５横等の各サイズの普通紙、厚紙、又はＯＨＰ（Over Head Projector）シート等の記録媒体から、ＲＡＭ４に記憶してある用紙サイズ及び紙種の記録媒体を選択し、またＲＡＭ４に記憶してある複写枚数又は印刷枚数だけ、ＣＭＹＫ色のトナーを用いて画像形成する。
【００４８】
以上の如き構成の複合機２０において、読取部８にて読み取った原稿の画像データの画像形成処理について説明する。図２は本発明の実施の形態１に係る複合機２０の画像形成におけるＣＰＵ１での処理の手順を示すフローチャートである。
【００４９】
まずＣＰＵ１は、操作部６にて白黒複写ボタン又はカラー複写ボタンの押圧を監視する（Ｓ１）。操作部６の白黒複写ボタン又はカラー複写ボタンが押圧されない場合（Ｓ１：ＮＯ）には、ＣＰＵ１は押圧の監視を続行する。一方、押圧された場合（Ｓ１：ＹＥＳ）には、ＣＰＵ１は、原稿の読み取り開始の指示の入力として操作部６のスタートキーの押圧を監視する（Ｓ２）。このとき使用者は、自動給紙装置７に原稿を載置し、操作部６にて複写に係る種々の指定情報を入力する。
【００５０】
操作部６のスタートキーが押圧されない場合（Ｓ２：ＮＯ）には、ＣＰＵ１は押圧の監視を続行する。一方、押圧された場合（Ｓ２：ＹＥＳ）には、ＣＰＵ１は、操作部６に入力された複写枚数、複写倍率、用紙サイズ及び紙種の指定をＲＡＭ４に記憶し（Ｓ３）、読取部８のＣＣＤを走査し（Ｓ４）、読取部８にて読み取った原稿の画像データを画像メモリ１１に記憶する（Ｓ５）。具体的には、ステップＳ１において白黒複写ボタンが押圧された場合には、単色用ＣＣＤのを走査して、読取部８にて読み取った原稿の画像データを第２の単色画像処理回路９にて処理し、処理した画像データをＭＵＸ３３ａ、ビット変換器３４ａ、ＭＵＸ３３ｂ、メモリ３５及びバス３１ｂを介して画像メモリ１１に記憶する。また、ステップＳ１においてカラー複写ボタンが押圧された場合には、カラー用のＣＣＤを走査して、読取部８にて読み取った原稿の画像データをカラー画像処理回路１０にて処理し、処理した画像データをビット変換器３４ｂ、ＭＵＸ３３ｂ、メモリ３５及びバス３１ｂを介して画像メモリ１１に記憶する。なお、画像データのメモリ３５から画像メモリ１１への転送制御は、具体的には、ＣＰＵ１が画像メモリコントローラ３６に書き込み用のデータ転送処理の制御権を委譲することにより、画像メモリコントローラ３６が行う（以下、同様とする）。
【００５１】
続いてＣＰＵ１は、画像メモリ１１に記憶してある原稿の画像データをメモリ３５へ読み出し、画像形成用処理回路３８にて画像データの色情報を公知の技術を用いてＲＧＢからＣＭＹＫに変換し、更にＲＡＭ４に記憶してある複写倍率に基づく倍率に画像データを処理し、処理した画像データをＲＡＭ４に記憶してある複写枚数等の指定情報に基づいて画像形成のタイミングに合わせて画像形成部１２へ転送し（Ｓ６）、処理を終了する。これにより、画像形成部１２にて画像データに基づいて、ステップＳ１において白黒複写ボタンが押圧された場合には白黒画像が、また、ステップＳ１においてカラー複写ボタンが押圧された場合にはカラー画像が記録媒体に画像形成される。なお、画像データの画像メモリ１１からメモリ３５への転送制御は、具体的には、ＣＰＵ１が画像メモリコントローラ３６に読み出し用のデータ転送処理の制御権を委譲することにより、画像メモリコントローラ３６が行う（以下、同様とする）。
【００５２】
続いて複合機２０において、読取部８にて読み取った原稿の画像データの外部装置への送信処理について説明する。図３は本発明の実施の形態１に係る複合機２０の画像データ送信におけるＣＰＵ１での処理の手順を示すフローチャートである。
【００５３】
まずＣＰＵ１は、操作部６にてファクスボタン又はスキャナボタンの押圧を監視する（Ｓ１１）。操作部６のファクスボタン又はスキャナボタンが押圧されない場合（Ｓ１１：ＮＯ）には、ＣＰＵ１は押圧の監視を続行する。一方、押圧された場合（Ｓ１１：ＹＥＳ）には、ＣＰＵ１は、原稿の読み取り開始の指示の入力として操作部６のスタートキーの押圧を監視する（Ｓ１２）。このとき使用者は、自動給紙装置７に原稿を載置し、操作部６にて画像データ送信に係る種々の指定情報を入力する。
【００５４】
操作部６のスタートキーが押圧されない場合（Ｓ１２：ＮＯ）には、ＣＰＵ１は押圧の監視を続行する。一方、押圧された場合（Ｓ１２：ＹＥＳ）には、ＣＰＵ１は、操作部６に入力された外部装置（ファクシミリ装置又は外部のコンピュータ）の指定をＲＡＭ４に記憶し（Ｓ１３）、読取部８のＣＣＤを走査し（Ｓ１４）、読取部８にて読み取った原稿の画像データを画像メモリ１１に記憶する（Ｓ１５）。具体的には、ステップＳ１１においてファクスボタンが押圧された場合には、単色用ＣＣＤを走査して、読取部８にて読み取った原稿の画像データを第１の単色画像処理回路３２にて処理し、処理した画像データをＭＵＸ３３ａ、ビット変換器３４ａ、ＭＵＸ３３ｂ、メモリ３５及びバス３１ｂを介して画像メモリ１１に記憶する。また、ステップＳ１１においてスキャナボタンが押圧された場合には、カラー用のＣＣＤを走査して、読取部８にて読み取った原稿の画像データをカラー画像処理回路１０にて処理し、処理した画像データをビット変換器３４ｂ、ＭＵＸ３３ｂ、メモリ３５及びバス３１ｂを介して画像メモリ１１に記憶する。
【００５５】
続いてＣＰＵ１は、画像メモリ１１に記憶してある原稿の画像データをメモリ３５へ読み出してＣＯＤＥＣ３７へ転送させると共に、ＣＯＤＥＣ３７へ符号化処理の実行又は不実行の指示信号を入力し（Ｓ１６）、更にＲＡＭ４に記憶してある指定先の外部装置（ファクシミリ装置又は外部のコンピュータ）へ画像データを送信し（Ｓ１７）、処理を終了する。具体的には、ステップＳ１１においてファクスボタンが押圧された場合には、画像データに符号化処理を施し、符号化された画像データをモデム１４及びＮＣＵ１３を介して指定先のファクシミリ装置へ送信する。また、ステップＳ１１においてスキャナボタンが押圧された場合には、画像データに符号化処理を施さず、符号化されていない画像データをＵＳＢインターフェース１５を介して外部のコンピュータへ送信する。
【００５６】
以上のように、本発明の実施の形態１に係る複合機２０においては、２つの外部回路を半導体集積回路３０に接続可能な構成とし、単色画像データを６ビット化して画像処理し、処理後の画像データ（６ビット）を２値化（１ビット化）して出力する第１の単色画像処理回路３２（低機能）を備え、単色画像データを８ビット化して画像処理し、処理後の画像データ（８ビット）を２値化（１ビット化）して出力する第２の単色画像処理回路９（高機能）、及びカラー画像データを画像処理し、色成分毎に８ビットのパラレルデータとして出力するカラー画像処理回路１０を外部回路として半導体集積回路３０に接続し、しかも半導体集積回路３０内において、第１及び第２の切換手段としてのＭＵＸ３３ａ及びＭＵＸ３３ｂにて、第１の単色画像処理回路３２、第２の単色画像処理回路９、又はカラー画像処理回路１０のいずれかを選択的にバス３１ｂに接続する構成としている。よって、本発明の実施の形態１に係る複合機２０を、画像データの転送機構を改変することなく、いわゆる白黒低級機、白黒高級機又はカラー機の仕様で動作することができる。
【００５７】
（実施の形態２）
図４は本発明の実施の形態２に係る複合機の構成を示すブロック図であり、図中４０は本発明の画像処理装置としての複合機である。なお、複合機４０は、画像データを処理する外部回路を装着するためのコネクタ（図示せず）が１つ予め設けられており、コネクタに、第２の単色画像処理回路９を装着することにより、第２の単色画像処理回路９は、半導体集積回路３０のバス３１ａ及びＭＵＸ３３ａと接続される構成となっている。また、複合機４０は、カラー画像処理回路１０を内蔵する半導体集積回路５０を備える。なお、半導体集積回路５０においては、カラー画像処理回路１０は、バス３１ａ及びビット変換器３４ｂに接続されている。この点が、実施の形態１の図１に示す複合機２０と異なる。複合機４０のその他の構成については、ＣＰＵ１の制御も含めて複合機２０と同様であるので、同様の部分については同一の符号を付して説明を省略する。
【００５８】
本発明の実施の形態２に係る複合機４０においては、１つの外部回路を半導体集積回路５０に接続可能な構成とし、第１の単色画像処理回路３２（低機能）及びカラー画像処理回路１０を備え、第２の単色画像処理回路９（高機能）を外部回路として半導体集積回路５０に接続し、しかも半導体集積回路５０内において、第１及び第２の切換手段としてのＭＵＸ３３ａ及びＭＵＸ３３ｂにて、第１の単色画像処理回路３２、第２の単色画像処理回路９、又はカラー画像処理回路１０のいずれかを選択的にバス３１ｂに接続する構成としている。よって、本発明の実施の形態２に係る複合機４０を、画像データの転送機構を改変することなく、いわゆる白黒低級機、白黒高級機又はカラー機の仕様で動作することができる。
【００５９】
なお、前述した実施の形態１においては、第２の単色画像処理回路及びカラー画像処理回路（２つの外部回路）を半導体集積回路に接続し、本発明の画像処理装置を複写機能、プリント機能、スキャナ機能及びファクシミリ機能を有する複合機（白黒低級機、白黒高級機及びカラー機）に適用したが、これに限らず、第２の単色画像処理回路及びカラー画像処理回路を半導体集積回路に接続せず、例えばファクシミリ装置又は白黒複写機能を有する装置（白黒低級機）に適用してもよく、また、第２の単色画像処理回路を半導体集積回路に接続せず、例えば白黒及びカラー複写機能を有する装置（白黒高級機及びカラー機）に適用してもよく、また、カラー画像処理回路を半導体集積回路に接続せず、例えば白黒複写機能を有する装置（白黒高級機）に適用してもよい。
【００６０】
また、前述した実施の形態１においては、本発明の画像処理装置を、カラー画像処理回路を半導体集積回路に接続可能とし、第２の切換手段を備える構成としたが、これに限らず、第２の単色画像処理回路のみを半導体集積回路に接続可能とし、第１の切換手段により、第１又は第２の単色画像処理回路のいずれかを、半導体集積回路内のバスに接続可能な構成としてもよい。
【００６１】
更に、前述した実施の形態２においては、第２の単色画像処理回路（外部回路）を半導体集積回路に接続し、本発明の画像処理装置を複写機能、プリント機能、スキャナ機能及びファクシミリ機能を有する複合機（白黒低級機、白黒高級機及びカラー機）に適用したが、これに限らず、第２の単色画像処理回路を半導体集積回路に接続せず、例えば白黒及びカラー複写機能を有する装置（白黒低級機及びカラー機）に適用してもよい。
【図面の簡単な説明】
【００６２】
【図１】本発明の実施の形態１に係る複合機の構成を示すブロック図である。
【図２】本発明の実施の形態１に係る複合機の画像形成におけるＣＰＵでの処理の手順を示すフローチャートである。
【図３】本発明の実施の形態１に係る複合機の画像データ送信におけるＣＰＵでの処理の手順を示すフローチャートである。
【図４】本発明の実施の形態２に係る複合機の構成を示すブロック図である。
【符号の説明】
【００６３】
１  ＣＰＵ
２  バス
８  読取部
９  第２の単色画像処理回路
１０  カラー画像処理回路
２０，４０  複合機（画像処理装置）
３０，５０  半導体集積回路
３１ａ，３１ｂ  バス
３２  第１の単色画像処理回路
３３ａ，３３ｂ  ＭＵＸ（第１の切換手段，第２の切換手段）
３５  メモリ
【図１】
2005085243.tif 000003
【図２】
2005085243.tif 000004
【図３】
2005085243.tif 000005
【図４】
2005085243.tif 000006